(57)【要約】【課題】レンジフード本体の取付用孔を取付ねじの突出部分に引掛けし易く、しかも取付ねじの仮取り付け強度が強いレンジフードの取り付け方法とする。【解決手段】壁面３に壁取付部材４を固定して取り付け、ねじ部６０と胴部６１が軸方向に連続した取付ねじ６のねじ部６０を、前記壁取付部材４にねじ込んで仮取り付けし、前記ねじ部６０の前記胴部側部分と、前記胴部６１を前記壁取付部材４から突出し、レンジフード本体２の取付部５の取付用孔５０を、前記取付ねじ６の突出部分に引掛け、前記取付ねじ６を締め付けて前記胴部６１のねじ部側の端面と前記壁取付部材４の壁面と反対側面とで前記取付部５を挟持することで、前記レンジフード本体２を前記壁取付部材４を介在して前記壁面３に固定して取り付けるレンジフードの取り付け方法。【選択図】図４
2018009725.tif 000002
【特許請求の範囲】
【請求項１】
壁面に壁取付部材を固定して取り付け、ねじ部とねじ部より大径の胴部が軸方向に連続した取付ねじのねじ部を、前記壁取付部材のねじ孔にねじ込んで前記取付ねじを仮取り付けし、前記ねじ部の前記胴部側部分と、前記胴部を前記壁取付部材の壁面と反対側面から突出させ、
レンジフード本体の取付部の取付用孔に、前記取付ねじの突出部分が挿入されるように前記レンジフード本体を移動させて前記取付用孔を前記取付ねじに引掛け、前記取付ねじのねじ部に前記取付部の取付用孔の内周面上部分が接した状態で、前記取付ねじを締め付けて前記胴部のねじ部側の端面と前記壁取付部材の壁面と反対側面とで前記取付部を挟持することで、前記レンジフード本体を前記壁取付部材を介在して前記壁面に固定して取り付けることを特徴とするレンジフードの取り付け方法。
【請求項２】
請求項１に記載のレンジフードの取り付け方法において、
前記取付用孔の内周面上部分が、前記取付ねじの胴部の外周面に接するように前記取付用孔を引掛け、その状態で前記レンジフード本体を前記壁面側に移動することで、前記取付用孔の内周面上部分が前記取付ねじの胴部の外周面を滑りながら前記ねじ部側に移動して前記取付用孔の内周面上部分を前記取付ねじのねじ部に接するようにしたレンジフードの取り付け方法。
【請求項３】
請求項１又は２に記載のレンジフードの取り付け方法において、
前記胴部の前記ねじ部側の端面は、前記取付ねじの軸方向と直角の面で、前記取付ねじを締め付けた際に前記胴部の前記ねじ部側の端面が、前記取付部に均一に接するようにしたレンジフードの取り付け方法。
【請求項４】
請求項２又は３に記載のレンジフードの取り付け方法において、
前記胴部の外周面は軸方向の凹凸がない平滑面で、前記取付用孔の内周面上部分が前記胴部の外周面を滑りながら移動するようにしたレンジフードの取り付け方法。
【請求項５】
請求項２ないし４のいずれかに記載のレンジフードの取り付け方法において、
前記胴部の外周面は軸方向全長に渡って同一の径、または、ねじ部側の径がねじ部と反対側の径より小さいテーパ形状で、前記取付用孔の内周面上部分が前記胴部の外周面を滑りながら移動するようにしたレンジフードの取り付け方法。
【請求項６】
請求項２ないし５のいずれかに記載のレンジフードの取り付け方法において、
前記取付ねじは、前記胴部のねじ部とは反対側にねじ頭部を有し、前記ねじ頭部は前記胴部より大径で、前記取付用孔の内周面上部分が前記胴部の外周面を滑りながら前記ねじ部と反対側に移動すると前記取付用孔の内周面上部分が前記ねじ頭部の前記胴部側の端面に接するようにしたレンジフードの取り付け方法。
【請求項７】
請求項１ないし６のいずれかに記載の取り付け方法で取り付けられ、
壁面に壁取付部材が固着して取り付けられ、
レンジフード本体に設けた取付部の取付用孔の内周面上部分は、ねじ部と胴部を軸方向に連続して有し、前記ねじ部が前記壁取付部材のねじ孔にねじ込まれた取付ねじの前記ねじ部の前記壁取付部材の前記壁面と反対側面から突出した胴部側部分に接し、
前記取付ねじは締め付けられ、前記取付部は、前記胴部の前記ねじ部側の端面と前記壁取付部材の前記壁面と反対側面とで挟持され、前記レンジフード本体は前記壁取付部材を介在して前記壁面に固定して取り付けてあることを特徴とするレンジフード。
【発明の詳細な説明】
【技術分野】
【０００１】
本発明は、レンジフードを壁面に取り付ける方法及びその取り付け方法で壁面に取り付けたレンジフードに関する。
【背景技術】
【０００２】
従来、レンジフードを壁面に取り付けるには、レンジフードの壁取付孔から取付ねじを壁内部の下地材にねじ込んで締め付けることで取り付けるのが一般的である。
このように取り付けることで、レンジフードを壁面に十分な強度で取り付けできる。壁内部の下地材とは、間柱または貫（柱などの垂直材を貫通させて水平に通される水平材）である。
しかしながら、レンジフードの取り付け位置等によっては、取付ねじが壁内部の下地材と位置がずれ、取付ねじを下地材にねじ込むことができないことがある。また、既設のレンジフードを新しいレンジフードに交換して取り付けるリフォームの場合は、下地材の同じ個所に取付ねじがねじ込まれるので、十分な強度を得られないことがある。  
【０００３】
この問題を解消したレンジフードの取り付け方法が特許文献１に開示されている。
特許文献１に開示されたレンジフードの取り付け方法は、取付装置の孔から固定ねじを壁内部の下地材にねじ込んで締め付けることで、取付装置を壁面に固定して取り付ける。
その取付装置のねじ孔に取付ねじを途中までねじ込んで仮取り付けし、その取付ねじの取付装置から突出した突出部分にレンジフードの壁取付孔を通して引掛けることで、レンジフードを取付装置に仮取り付け支持する。この状態で取付ねじを締め付けてレンジフードを取付装置に固定することでレンジフードを壁面に取り付ける。
【先行技術文献】
【特許文献】
【０００４】
【特許文献１】特開２０１２-２３７４６１号公報
【発明の概要】
【発明が解決しようとする課題】
【０００５】
特許文献１に開示されたレンジフードの取り付け方法によれば、取付ねじが壁内部の下地材と位置がずれている場合や、リフォームの場合でもレンジフードを十分な強度で壁面に取り付けできる。
しかしながら、このような取り付け方法であると、取付ねじの取付装置から突出した突出部分の長さが短く、レンジフードの壁取付孔を取付ネジの突出部分に引掛けにくいのでレンジフードを取り付けにくい。
この問題を解消するには、取付ねじの取付装置のねじ孔へのねじ込み長さを短くしたり、全長の長い取付ねじを使用することで、取付ねじの取付装置からの突出した突出部分の長さを長くすることが考えられる。
しかし、取付ねじの取付装置のねじ孔へのねじ込み長さを短くすると、取付ねじの取付装置への仮取り付け強度が弱いので、取付ねじの突出部分に壁取付孔を引掛けた時のレンジフードの仮取り付け支持が不安定になり、レンジフードが落下してしまう恐れがある。
【０００６】
また、取付装置の奥行き寸法（壁面に接する面とレンジフードが接する面との間の寸法）、つまり、取付ねじをねじ込むねじ孔の長さに限度があるために、全長の長い取付ねじを使用すると、その取付ねじを締め付けた時に取付ねじの先端が壁面に当接してしまうので、取付ねじを十分に締め付けできずレンジフードの取り付け強度が弱くなってしまう。
【０００７】
本発明は、前述の課題を解決するためになされたもので、その目的は、取付ねじが壁内部の下地材と位置がずれている場合や、リフォームの場合でもレンジフードを十分な強度で壁面に取り付けでき、レンジフード本体の取付用孔を取付ねじの突出部分に引掛けし易く、レンジフード本体を容易に仮取り付け支持でき、しかも取付ねじの仮取り付け強度が強く、レンジフード本体を安定して仮取り付け支持できると共に、取付ねじを十分に締め付けてレンジフード本体を強固に固定して取り付けできるようにしたレンジフードの取り付け方法およびレンジフードを提供することである。  
【課題を解決するための手段】
【０００８】
本発明のレンジフードの取り付け方法は、壁面に壁取付部材を固定して取り付け、ねじ部とねじ部より大径の胴部が軸方向に連続した取付ねじのねじ部を、前記壁取付部材のねじ孔にねじ込んで前記取付ねじを仮取り付けし、前記ねじ部の前記胴部側部分と、前記胴部を前記壁取付部材の壁面と反対側面から突出させ、レンジフード本体の取付部の取付用孔に、前記取付ねじの突出部分が挿入されるように前記レンジフード本体を移動させて前記取付用孔を前記取付ねじに引掛け、前記取付ねじのねじ部に前記取付部の取付用孔の内周面上部分が接した状態で、前記取付ねじを締め付けて前記胴部のねじ部側の端面と前記壁取付部材の壁面と反対側面とで前記取付部を挟持することで、前記レンジフード本体を前記壁取付部材を介在して前記壁面に固定して取り付けることを特徴とするレンジフードの取り付け方法である。
【０００９】
本発明のレンジフードの取り付け方法においては、前記取付用孔の内周面上部分が、前記取付ねじの胴部の外周面に接するように前記取付用孔を引掛け、その状態で前記レンジフード本体を前記壁面側に移動することで、前記取付用孔の内周面上部分が前記取付ねじの胴部の外周面を滑りながら前記ねじ部側に移動して前記取付用孔の内周面上部分を前記取付ねじのねじ部に接するようにしたレンジフードの取り付け方法とすることができる。
この取り付け方法によれば、取付ねじにおけるレンジフード本体の取付用孔を引掛ける長さを十分に確保できるため、レンジフード本体の取付用孔を取付ねじに引掛けやすく、レンジフード本体を容易に仮取り付けできるため施工性が良い。また、レンジフード本体を持っている施工者は取付部が胴部の外周面からねじ部に落ちた感触が得られ、取付用孔の内周面上部分がねじ部に接したことを施工者が確認できるので、取り付けのミスがない。
【００１０】
本発明のレンジフードの取り付け方法においては、前記胴部の前記ねじ部側の端面は、前記取付ねじの軸方向と直角の面で、前記取付ねじを締め付けた際に前記胴部の前記ねじ部側の端面が、前記取付部に均一に接するようにしたレンジフードの取り付け方法とすることができる。
この取り付け方法によれば、取付ねじを締め付けた際、取付ねじの軸方向と直角である端面が取付部に均一に接触し、より広い面積で取付部を壁取付部材に押し付けることができるため、レンジフード本体が安定した取り付け状態となる。
【００１１】
本発明のレンジフードの取り付け方法においては、前記胴部の外周面は軸方向の凹凸がない平滑面で、前記取付用孔の内周面上部分が前記胴部の外周面を滑りながら移動するようにしたレンジフードの取り付け方法とすることができる。
この取り付け方法によれば、胴部の外周面は軸方向に凹凸がない平滑面であるので、取付部を、その取付用孔の内周面上部分を胴部の外周面に滑らせてねじ部側に移動する際に障害となるものがなく、取付部のねじ部側への移動が容易である。
【００１２】
本発明のレンジフードの取り付け方法においては、前記胴部の外周面は軸方向全長に渡って同一の径、または、ねじ部側の径がねじ部と反対側の径より小さいテーパ形状で、前記取付用孔の内周面上部分が前記胴部の外周面を滑りながら移動するようにしたレンジフードの取り付け方法とすることができる。
この取り付け方法によれば、胴部の外周面に取付部の取付用孔の内周面上部分を接した状態で、レンジフード本体の自重などにより取付部をねじ部と離れる方向に移動する力が働くことがなく、取付部を胴部の外周面を滑らせながらねじ部側に移動することが容易である。
【００１３】
本発明のレンジフードの取り付け方法においては、前記取付ねじは、前記胴部のねじ部と反対側にねじ頭部を有し、前記ねじ頭部は前記胴部より大径で、前記取付用孔の内周面上部分が前記胴部の外周面を滑りながら前記ねじ部と反対側に移動すると前記取付用孔の内周面上部分が前記ねじ頭部の前記胴部側の端面に接するようにしたレンジフードの取り付け方法とすることができる。
この取り付け方法によれば、取付部の取付用孔の内周面上部分を胴部の外周面に接した状態で、レンジフード本体に壁面から離れる方向の力が加わってもねじ頭部の胴部側の端面が抜け止めとなって、容易に外れることがなく安全である。
【００１４】
本発明のレンジフードは、本発明の取り付け方法で取り付けられ、壁面に壁取付部材が固着して取り付けられ、レンジフード本体に設けた取付部の取付用孔の内周面上部分は、ねじ部と胴部を軸方向に連続して有し、前記ねじ部が前記壁取付部材のねじ孔にねじ込まれた取付ねじの前記ねじ部の前記壁取付部材の前記壁面と反対側面から突出した胴部側部分に接し、
前記取付ねじは締め付けられ、前記取付部は、前記胴部の前記ねじ部側の端面と前記壁取付部材の前記壁面と反対側面とで挟持され、前記レンジフード本体は前記壁取付部材を介在して前記壁面に固定して取り付けてあることを特徴とするレンジフードである。
【発明の効果】
【００１５】
本発明のレンジフードの取り付け方法によれば、壁面に壁取付部材を取り付けることで、取付ねじが壁内部の下地材と位置がずれている場合や、リフォームの場合でもレンジフードを十分な強度で壁面に取り付けできる。
また、レンジフード本体の取付用孔を取付ねじの突出部分に引掛けし易く、レンジフード本体を容易に仮取り付け支持でき、しかも取付ねじの仮取り付け強度が強く、レンジフード本体を安定して仮取り付け支持できると共に、取付ねじを十分に締め付けてレンジフード本体を強固に固定して取り付けできる。
【図面の簡単な説明】
【００１６】
【図１】壁面に取り付けたレンジフードの正面図である。
【図２】壁面に取り付けたレンジフードの側面図である。
【図３】送風機ボックス取り付け部分の拡大正面図である。
【図４】図３のＡ―Ａ断面図である。
【図５】レンジフード本体の取付動作説明図である。
【図６】レンジフード本体の取付動作説明図である。
【図７】取付ねじの他の実施の形態を示す正面図である。
【図８】取付用孔の第２の実施の形態を示す正面図である。
【図９】取付用孔の第３の実施の形態を示す正面図である。
【発明を実施するための形態】
【００１７】
本発明の取り付け方法で壁面に取り付けたレンジフードの実施の形態を図１と図２に基づいて説明する。図１は壁面に取り付けたレンジフードの正面図、図２は壁面に取り付けたレンジフードの側面図である。
レンジフード１のレンジフード本体２は壁面３に取り付けてある。レンジフード本体２は、フード２０と送風機ボックス２１を有している。
フード２０は下面２０ａに吸い込み部（図示せず）を有した扁平な箱形状で、フード２０の背面２０ｂが壁面３に接している。
送風機ボックス２１はフード２０の上面２０ｃにおける背面２０ｂ寄りに取り付けてあり、その背面２１ａはフード２０の背面２０ｂよりもフード２０の前面２０ｄ寄りに位置している。送風機ボックス２１の前面２１ｂはフード２０の前面２０ｄよりも背面２０ｂ寄りに位置している。送風機ボックス２１の左右の側面２１ｃはフード２０の左右の側面２０ｅよりも内側に位置している。
【００１８】
つまり、フード２０の平面の大きさは送風機ボックス２１の平面の大きさよりも大きく、フード２０の背面２０ｂ、前面２０ｄ、左右の側面２０ｅは送風機ボックス２１の背面２１ａ、前面２１ｂ、左右の側面２１ｃから張り出している。送風機ボックス２１の内部に送風機（図示せず）が設けてある。
壁面３に壁取付部材（取付ベース）４が固着して取り付けてある。その壁取付部材４に送風機ボックス２１が固着してある。これにより、レンジフード本体２は壁取付部材４を介在して壁面３に固着して取り付けてある。フード２０の背面２０ｂが壁面３に接しているので壁取付部材４がレンジフード本体２の下方から見えることがない。
壁取付部材４の長さ（図１中、左右の側面４ａ間の寸法）はフード２０の左右の側面２０ｅ間の寸法とほぼ同一で、壁取付部材４の厚さ（背面４ｂと前面４ｃの間の寸法）は送風機ボックス２１の背面２１ａと壁面３との間の寸法と同一である。壁取付部材４の上部４ｄに長手方向に間隔をあけて複数のねじ挿入孔４０が形成してある。
【００１９】
壁取付部材４は、複数のねじ挿入孔４０における幾つかのねじ挿入孔４０、たとえば２つのねじ挿入孔４０から固定ねじ４１を壁内部の下地材、例えば、間柱（図示せず）にねじ込んで締め付けることで壁面３に固着して取り付けてある。
送風機ボックス２１の左右の側面２１ｃには、レンジフード本体２を壁面３に固着して取り付けるための取付部５が設けてある。その取付部５から取付ねじ６が壁取付部材４にねじ込んで締め付けられ、送風機ボックス２１が壁取付部材４に固着されている。送風機ボックス２１の背面２１ａが壁取付部材４の前面４ｃに接している。壁取付部材４の上部４ｄは送風機ボックス２１の上面２１ｄから上に突出している。
フード２０の上面２０ｃには、高さ調整自在の幕板７が取り付けてある。この幕板７で送風機ボックス２１、取付部５、取付ねじ６、壁取付部材４、固定ねじ４１を覆って室内から見えないようにしてある。
【００２０】
次に、送風機ボックス取り付け部分の詳細を図３、図４に基づいて説明する。図３は送風機ボックス取り付け部分の拡大正面図、図４は図３のＡ―Ａ断面図である。
壁取付部材４は、背面板４２と正面板４３を上下の連結材４４で間隔を空けて連結した中空箱形状である。背面板４２の上部４２ａが正面板４３の上部４３ａより上方に突出し、その上部４２ａにねじ挿入孔４０が形成してある。
壁取付部材４は取付ねじ６がねじ込まれるねじ孔４５を有している。例えば、背面板４２の孔４２ｂと正面板４３の孔４３ｂとに渡りナット４６を嵌め込んで取り付けることで、ねじ孔４５としてある。
取付部５は板状の金具で、送風機ボックス２１の側面２１ｃにねじ、リベット、溶接などで取り付けてある。取付部５の背面５ａは送風機ボックス２１の背面２１ａと面一である。なお、取付部５は送風機ボックス２１と一体に設けることができる。
【００２１】
取付ねじ６は、取付ねじ６の軸方向一端側のねじ部６０と、ねじ部６０の軸方向他端部と連続し取付ねじ６の軸方向中間にある胴部６１と、胴部６１の軸方向他端部と連続し取付ねじ６の軸方向他端側にあるねじ頭部６２を有している。
ねじ部６０の軸方向一側部分が壁取付部材４のねじ孔４５にねじ込まれ、ねじ部６０の軸方向他側部分（胴部側部分）が壁取付部材４の正面板４３、つまり、壁取付部材４の壁面３と反対側面から突出している。
胴部６１はねじ部６０より大径で、胴部６１の軸方向一端面６１ａ、つまり、ねじ部６０側の端面６１ａはねじ部６０の外周面よりも軸方向と直角の方向に突出し、その端面６１ａが取付ねじ６の締め付け面である。この胴部６１のねじ部６０側の端面６１ａは取付ねじ６の軸方向と直角な面である。
胴部６１の外周面６１ｂは軸方向に凹凸がない平滑面である。胴部６１は軸方向に渡って同一の径で、外周面は軸方向に渡って平行である。
【００２２】
ねじ頭部６２は胴部６１より大径で、ねじ頭部６２の軸方向一端面６２ａ、つまりねじ頭部６２の胴部６１側の端面６２ａは胴部６１の外周面６１ｂよりも突出している。
ねじ頭部６２の胴部６１側の端面６２ａは取付ねじ６の軸方向と直角である。ねじ頭部６２は取付ねじ６を回転する回転操作部６２ｂを有している。
ねじ頭部６２はほぼ半球形状で、その表面に十文字状の溝を有し、その溝が回転操作部６２ｂである。
これに限ることはなく、ねじ頭部６２は六角形状としてもよい。または、ねじ頭部６２は胴部６１と同一径で、その端面に溝を形成して回転操作部としたものとしてもよい。
【００２３】
取付部５は、背面５ａから正面５ｂに貫通、つまり取付部５の厚さ方向に貫通した取付用孔５０を有している。
取付用孔５０は、取付ねじ６のねじ頭部６２が軸方向に挿通する下大径孔部５１と、その下大径孔部５１の内周面上部分と連続した上小径孔部５２を有したダルマ形状である。
上小径孔部５２は取付ねじ６のねじ頭部６２および胴部６１が軸方向に挿通することができないが、ねじ部６０は軸方向に挿通することができる。上小径孔部５２の内周面上部分５２ａはねじ部６０の外周面に接触する。
取付用孔５０の下大径孔部５１の内周面上部分と上小径孔部５２の内周面下部分を連続する中間孔部５３は、胴部６１が軸直角方向に通ることができないが、ねじ部６０は軸直角方向に通ることができる。
【００２４】
取付用孔５０の上小径孔部５２の内周面上部分５２ａがねじ部６０の外周面の上部分に接している。取付ねじ６のねじ部６０が壁取付部材４のねじ孔４５にねじ込まれて締め付けられている。その取付ねじ６の締め付け力で胴部６１のねじ部６０側の端面６１ａが取付部５の正面５ｂに接して背面５ａが壁取付部材４の正面板４３に押し付けられている。
これにより取付部５が壁取付部材４に固定され、レンジフード本体２が取付部材４を介在して壁面３に固着して取り付けてある。
このように、レンジフード本体２の取付部５は取付ねじ６の胴部６１と壁取付部材４とで挟持され強固に固定されているため、レンジフード本体２は壁取付部材４を介在して壁面３に安定して取り付けてある。
【００２５】
次に、レンジフード本体２を壁面３に取り付ける方法の実施の形態を説明する。
図４に示すように、壁取付部材４の背面板４２を壁面３に接し、背面板４２のねじ挿入孔４０から固定ねじ４１を壁内部の間柱にねじ込んで締め付けることで、壁取付部材４を壁面３に固定して取り付ける。
この時、間柱と対応したねじ挿入孔４０を選択し、選択したねじ挿入孔４０から固定ねじ４１を間柱にねじ込むことで、間柱の位置に関係なく壁取付部材４を任意の位置に取り付けできる。
取付ねじ６のねじ部６０の軸方向一側部分を壁取付部材４のねじ孔４５に、十分な取り付け強度が得られる長さだけねじ込み、取付ねじ６を壁取付部４に仮取り付けする。これにより取付ねじ６を壁取付部材４に強固に仮取り付けできる。
【００２６】
仮取り付けした取付ねじ６は、ねじ部６０の軸方向他端部６０ａ、つまり胴部側部分が壁取付部材４の正面板４３、つまり、壁面３と反対側面から突出し、胴部６１のねじ部６０側の端面６１ａと壁取付部材４の正面との間に隙間Ｓ（図５）がある。この隙間Ｓは取付部５の厚さよりも大きい。
取付ねじ６をねじ孔４５にねじ込む際、壁取付部材４の正面板４３に位置決め片（隙間ゲージ）を当接し、取付ねじ６の胴部６１のねじ部６０側の端面６１ａを位置決め片に接することで、胴部６１のねじ部６０側の端面６１ａと壁取付部材４の正面との間の隙間Ｓを所定の値とするようにしてもよい。このようにすれば、隙間Ｓを簡単に所定の値とすることができる。
なお、取付ねじ６をねじ孔４５にねじ込んで仮取り付けした後に壁取付部材４を壁面３に取り付けるようにしてもよい。
【００２７】
この状態で、施工者がレンジフード本体２を持ち上げて上下方向、左右方向に移動することで、図５に２点鎖線で示すように取付孔５０を取付ねじ６に、その下大径孔部５１をねじ頭部６２が軸方向に挿通するように位置合わせする。例えば、下大径孔部５１の中心５１ａをねじ頭部６２の中心６２ｃと一致させる。
この後、レンジフード本体２を図５の矢印ａで示すように壁面３に向けて移動することで、取付部５を図６に実線で示すように、下大径孔部５１がねじ頭部６２を通過して胴部６１までに達する。
この状態でレンジフード本体２を図６の矢印ｂで示すように下方に移動して、図６に１点鎖線で示すように中間孔部５３（下大径孔部５１の内周面上部分）を胴部６１の外周面６１ｂに接して取付部５を取付ねじ６に引掛けることで、レンジフード本体２を仮取り付け支持する。
【００２８】
この後、レンジフード本体２を図６の矢印ｃで示すように壁面３に向けて移動することで、取付部５は、取付孔５０の中間孔部５３が取付ねじ６の胴部６１の外周面６１ｂを滑りながらねじ部６０側に移動（スライド）する。
そして、取付孔５０の中間孔部５３が取付ねじ６の胴部６１を通過すると、レンジフード本体２は自重で図６の矢印ｄで示すように下方に移動し、取付部５は２点鎖線で示すように取付孔５０の上小径孔部５２の内周面上部分５２ａが取付ねじ６のねじ部６０の外周面に接する。この際、レンジフード本体２を持っている施工者は取付部５が胴部６１の外周面６１ｂからねじ部６０に落ちた感触が得られ、取付孔５０の上小径孔部５２の内周面上部分５２ａが取付ねじ６のねじ部６０の外周面に接したことを施工者が確認できるので、取り付けのミスがない。
【００２９】
この状態で、取付ねじ６を締め付け、図４に示すように、胴部６１のねじ部６０側の端面６１ａを取付部５の正面５ｂに押し付けることで、取付部５を壁取付部４と胴部６１とで挟持して取付部５を壁取付部４に固定し、レンジフード本体２を壁取付部材４を介在して壁面３に固定して取り付ける。
これによりレンジフードを壁面３に取り付けできる。
このように壁取付部材４を用いて取り付けするので、取付ねじ６が壁内部の下地材と位置がずれている場合や、リフォームの場合でもレンジフード本体２を十分な強度で壁面３に取り付けできる。
【００３０】
また、取付ねじ６を壁取付部材４のねじ孔４５にねじ込んで仮取り付けした状態で、ねじ部６０の軸方向他端部６０ａと胴部６１が壁取付部材４から突出するので、ねじ部６０をねじ孔４５に十分の取り付け強度が得られる長さだけねじ込みして、取付ねじ６の壁取付部材４からの突出部分の長さを長くできるので、取付部５の取付用孔５０を取付ねじ６の突出部分に引掛けし易く、取付ねじ６の仮取り付け強度が強い。しかも取付ねじ６を十分に締め付けできる。
したがって、従来は突出部分はねじ部６０の軸方向他端部６０ａのみであったのに対し、本発明によれば突出部分は胴部６１の分だけ更に長くなるためレンジフード本体２の仮取り付け支持が容易で、レンジフード本体２を安定して仮取り付け支持できる。しかもレンジフード本体２を強固に固定して取り付けできる。
【００３１】
また、胴部６１のねじ部６０側の端面６１ａは取付ねじ６の軸方向と直角であるから、取付ねじ６を締め付けた際、胴部６１の端面６１ａが取付部５に均一に接触し、より広い面積で取付部５を壁取付部材４に押し付けることができるため、レンジフード本体２が安定した取り付け状態となる。
また、胴部６１の外周面６１ｂは軸方向に凹凸がない平滑面であるので、取付部５を胴部６１の外周面６１ｂに沿ってねじ部６０側に移動する際に障害となるものがなく、取付部５のねじ部６０側への移動が容易である。
【００３２】
また、胴部６１は軸方向に渡って同一の径であるので、胴部６１の外周面６１ｂに取付部５の取付用孔５０を接した状態で、レンジフード本体２の自重などにより取付部５をねじ部６０と離れる方向に移動する力が働くことがなく、取付部５をねじ部６０側に移動することが容易である。
また、取付ねじ６は胴部６１よりも大径のねじ頭部６２を有するので、取付部５の取付用孔５０を胴部６１の外周面６１ｂに接した状態で、レンジフード本体２に壁面３から離れる方向の力が加わってもねじ頭部６２の胴部６１側の端面６２ａが抜け止めとなって、容易に外れることがなく安全である。
【００３３】
図７は取付ねじ６の他の実施の形態を示し、取付ねじ６はねじ部６０と胴部６１とねじ頭部６２を有し、胴部６１の外周面６１ｂは、軸方向に凹凸がない平滑面で、ねじ部６０側の径がねじ頭部６２側の径よりも小さいテーパ形状である。
この取付ねじ６であれば、取付部５の取付用孔５０を胴部６１の外周面６１ｂに接した状態で、レンジフード本体２の自重等で取付部５にねじ部６０側に移動する力が働き、ねじ部６０と離れる方向の力は働かないので、取付部５をねじ部６０側に移動することが容易である。
【００３４】
図８は取付用孔５０の第２の実施の形態を示し、取付用孔５０は底辺が下で、頂点が上である三角形状である。
そして、取付用孔５０の底辺側が取付ねじ６のねじ頭部６２が軸方向に挿通する下大径孔部５１で、頂点側がねじ頭部６２が軸方向に挿通しない上小径孔部５２である。取付用孔５０の底辺と頂点との中間部分が下大径孔部５１と上小径孔部５２を連続する中間孔部５３である。
【００３５】
図９は取付用孔５０の第３の実施の形態を示し、取付用孔５０は取付ねじ６のねじ頭部６２が軸方向に挿通する円形の下大径孔部５１と、ねじ頭部６２が軸方向に挿通せずにねじ部６０が軸方向に挿通する矩形状の上小径孔部５２を有し、上小径孔部５２の下大径孔部５１の内周面上部分に開口した部分が中間孔部５３である。
【００３６】
取付用孔５０は、図示はしないが取付ねじ６のねじ頭部６２、胴部６１が軸方向に挿通する一つ孔としてもよい。つまり、取付用孔５０はねじ頭部６２、胴部６１が軸方向に挿通し、内周面上部分がねじ部６０の外周面に接する形状であればよい。
以上の実施の形態では、取付部５の取付用孔５０を取付ねじ６の胴部６１の外周面６１ｂに接することで、取付部５の取付用孔５０を取付ねじ６の胴部６１に引掛けし、取付部５を胴部６１の外周面６１ｂを滑りながらねじ部６０側に移動したが、取付部５の取付用孔５０を取付ねじ６に引掛ける際に、取付部５の取付用孔５０（上小径孔部５２の内周面上部分５２ａ）が取付ねじ６のねじ部６０に接することがあるが、それでもよい。
また、取付部５をフード２０に設けてもよいし、取付部５をフード２０と送風機ボックス２１にそれぞれ設けてもよい。この場合は、壁取付部材４がフード２０の背面２０ｂに接するようになる。つまり、取付部５はレンジフード本体２に設ければよい。
【符号の説明】
【００３７】
１…レンジフード、２…レンジフード本体、３…壁面、４…壁取付部材、５…取付部、６…取付ねじ、２０…フード、２１…送風機ボックス、４１…固定ねじ、５０…取付用孔、５１…下大径孔部、５２…上小径孔部、５２ａ…内周面上部分、５３…中間孔部、６０…ねじ部、６１…胴部、６１ａ…ねじ部側の端面、６１ｂ…外周面、６２…ねじ頭部。
【図１】
2018009725.tif 000003
【図２】
2018009725.tif 000004
【図３】
2018009725.tif 000005
【図４】
2018009725.tif 000006
【図５】
2018009725.tif 000007
【図６】
2018009725.tif 000008
【図７】
2018009725.tif 000009
【図８】
2018009725.tif 000010
【図９】
2018009725.tif 000011